(57)【要約】【課題】容易に製造でき、液状排泄物以外の排泄物も漏出し難い使い捨て吸収性物品を提供する。【解決手段】表面シート６と、裏面シート７と、吸収体８とを有し、長手方向に沿って前側部３、股下部４、後側部５を形成した吸収性物品本体２を具備する。吸収性物品本体２は、股下部４の幅方向両側部に位置する第１フラップ部11と、幅方向両側部に位置し起立可能な第２フラップ部12とを有する。第２フラップ部12は、幅方向内側に位置する内側接合部17と、この内側接合部17より幅方向外側に位置し内側接合部17に略平行であり、内側接合部17より長手方向中央側へ長く延在する外側接合部18とにてフラップシート部を表面シート６に接合して形成する。さらに、吸収性物品本体２の股下部４に、第１フラップ部11と第２フラップ部12と吸収体８の幅方向外側縁とによってポケット部を形成する。【選択図】図１
2010088538.tif 000002
【特許請求の範囲】
【請求項１】
内面側に位置する表面シートと、外面側に位置する裏面シートと、前記表面シートと前記裏面シートとの間に設けられた吸収体とを有し、長手方向に沿って前側部、股下部および後側部が形成された吸収性物品本体を具備した使い捨て吸収性物品であって、
前記吸収体は、幅方向の両側部の前記股下部に対応する部分が幅方向内側へ凹状に切り欠かれた形状であり、
前記吸収性物品本体は、前記股下部の前記吸収体の切り欠かれた部分に設けられた第１フラップ部と、前記吸収性物品本体の前記表面シート側の幅方向の両側部に長手方向に沿って設けられ幅方向内側の自由縁が前記表面シートから離間する方向へ起立可能な第２フラップ部と、前記股下部にて前記第１フラップ部と前記第２フラップ部と前記吸収体の幅方向外側縁とによって形成されたポケット部とを有し、
前記第２フラップ部は、前記裏面シートが前記吸収体の幅方向の両側部から幅方向外側へ延出しこの延出した部分が前記表面シート側へ折り返された折返部と、この折返部から前記吸収性物品本体の幅方向内側へ延出するフラップシート部と、このフラップシート部の長手方向に沿って配設された第２フラップ弾性体とから形成され、
前記フラップシート部は、前記股下部では、前記表面シートに接合されておらず、前記前側部および前記後側部では、前記フラップシート部において前記吸収性物品本体の幅方向内側に位置し長手方向に沿って形成された内側接合部と、前記フラップシート部において前記内側接合部より前記吸収性物品本体の幅方向外側に位置し前記内側接合部に略平行な外側接合部とにて前記表面シートに接合されており、
前記外側接合部は、前記内側接合部より前記フラップシート部の長手方向中央側へ長く延在している
ことを特徴とする使い捨て吸収性物品。
【請求項２】
外側接合部の幅方向の長さは、内側接合部の幅方向の長さより長い
ことを特徴とする請求項１記載の使い捨て吸収性物品。
【請求項３】
第１フラップ部は、表面シート側の表面に拡散防止シートが配設され、
この拡散防止シートは、前記表面シートより目が粗い
ことを特徴とする請求項１または２記載の使い捨て吸収性物品。
【請求項４】
第１フラップ部には、吸収性物品本体の長手方向に沿って第１フラップ弾性体が配設されている
ことを特徴とする請求項１ないし３のいずれか記載の使い捨て吸収性物品。
【請求項５】
第２フラップ弾性体は、前側部の内側接合部と後側部の内側接合部との間に配設された内側第２フラップ弾性体および前側部の外側接合部と後側部の外側接合部との間に配設された外側第２フラップ弾性体によって構成されている
ことを特徴とする請求項１ないし４のいずれか記載の使い捨て吸収性物品。
【請求項６】
内側接合部と外側接合部とは、互いに幅方向に離間して形成され、
これら内側接合部と外側接合部との離間部分の一部でありフラップシート部の長手方向の両端部には中間接合部が形成され、
前記フラップシート部は、前記内側接合部、前記外側接合部および前記中間接合部にて表面シートに接合され、前記中間接合部より長手方向中央側でありかつ前記内側接合部と前記外側接合部とが離間した非接合部分に空間部が形成されている
ことを特徴とする請求項１ないし５のいずれか記載の使い捨て吸収性物品。
【発明の詳細な説明】
【技術分野】
【０００１】
本発明は、子供用、大人用あるいは失禁用の使い捨て吸収性物品に関する。
【背景技術】
【０００２】
従来、このような使い捨て吸収性物品としては、尿等の液状排泄物の横漏れを防止するために、表面シートと裏面シートとの間に吸収体が配設された吸収性物品本体の幅方向の両側部に、前記吸収性物品本体の長手方向に沿って立体ギャザが配設された構成が一般的である。このような立体ギャザは、弾性体が配設され、着用した際に前記弾性体の収縮により起立するように構成されている。
【０００３】
そして、股下部での排泄物の漏出をより確実に防止するために、立体ギャザの起立線を股下部分で外側に湾曲させて配置することにより、股下部の立体ギャザの堰を高くし、股下部での前記立体ギャザの起立可能な面積を大きくした構成のものが知られている（例えば、特許文献１参照。）。
【特許文献１】特開平９−１８７４７８号公報（第３−５頁、図１，図２）
【発明の開示】
【発明が解決しようとする課題】
【０００４】
しかしながら、上述した特許文献１の構成では、製造の際に、前記立体ギャザを股下部にて外側へ湾曲させて配置し固定する必要があるので、製造作業が煩雑になり、容易に製造できない問題が考えられる。さらに、尿等の液状排泄物であれば、前記立体ギャザにて堰き止めた後、吸収体にて吸収させることができるが、固形便や粘性のある軟便は、前記吸収体にて吸収できないか、または、吸収できたとしても吸収速度が遅いので、液状排泄物以外の排泄物は、吸収性物品本体の内部で移動し易く、漏出し易い状態になってしまう。
【０００５】
本発明はこのような点に鑑みなされたもので、容易に製造でき、液状排泄物以外の排泄物も漏出し難い使い捨て吸収性物品を提供する。
【課題を解決するための手段】
【０００６】
請求項１に記載された使い捨て吸収性物品は、内面側に位置する表面シートと、外面側に位置する裏面シートと、前記表面シートと前記裏面シートとの間に設けられた吸収体とを有し、長手方向に沿って前側部、股下部および後側部が形成された吸収性物品本体を具備した使い捨て吸収性物品であって、前記吸収体は、幅方向の両側部の前記股下部に対応する部分が幅方向内側へ凹状に切り欠かれた形状であり、前記吸収性物品本体は、前記股下部の前記吸収体の切り欠かれた部分に設けられた第１フラップ部と、前記吸収性物品本体の前記表面シート側の幅方向の両側部に長手方向に沿って設けられ幅方向内側の自由縁が前記表面シートから離間する方向へ起立可能な第２フラップ部と、前記股下部にて前記第１フラップ部と前記第２フラップ部と前記吸収体の幅方向外側縁とによって形成されたポケット部とを有し、前記第２フラップ部は、前記裏面シートが前記吸収体の幅方向の両側部から幅方向外側へ延出しこの延出した部分が前記表面シート側へ折り返された折返部と、この折返部から前記吸収性物品本体の幅方向内側へ延出するフラップシート部と、このフラップシート部の長手方向に沿って配設された第２フラップ弾性体とから形成され、前記フラップシート部は、前記股下部では、前記表面シートに接合されておらず、前記前側部および前記後側部では、前記フラップシート部において前記吸収性物品本体の幅方向内側に位置し長手方向に沿って形成された内側接合部と、前記フラップシート部において前記内側接合部より前記吸収性物品本体の幅方向外側に位置し前記内側接合部に略平行な外側接合部とにて前記表面シートに接合されており、前記外側接合部は、前記内側接合部より前記フラップシート部の長手方向中央側へ長く延在しているものである。
【０００７】
請求項２に記載された使い捨て吸収性物品は、請求項１に記載された使い捨て吸収性物品において、外側接合部の幅方向の長さは、内側接合部の幅方向の長さより長いものである。
【０００８】
請求項３に記載された使い捨て吸収性物品は、請求項１または２に記載された使い捨て吸収性物品において、第１フラップ部は、表面シート側の表面に拡散防止シートが配設され、この拡散防止シートは、前記表面シートより目が粗いものである。
【０００９】
請求項４に記載された使い捨て吸収性物品は、請求項１ないし３のいずれかに記載された使い捨て吸収性物品において、第１フラップ部には、吸収性物品本体の長手方向に沿って第１フラップ弾性体が配設されているものである。
【００１０】
請求項５に記載された使い捨て吸収性物品は、請求項１ないし４のいずれかに記載された使い捨て吸収性物品において、第２フラップ弾性体は、前側部の内側接合部と後側部の内側接合部との間に配設された内側第２フラップ弾性体および前側部の外側接合部と後側部の外側接合部との間に配設された外側第２フラップ弾性体によって構成されているものである。
【００１１】
請求項６に記載された使い捨て吸収性物品は、請求項１ないし５のいずれかに記載された使い捨て吸収性物品において、内側接合部と外側接合部とは、互いに幅方向に離間して形成され、これら内側接合部と外側接合部との離間部分の一部でありフラップシート部の長手方向の両端部には中間接合部が形成され、前記フラップシート部は、前記内側接合部、前記外側接合部および前記中間接合部にて表面シートに接合され、前記中間接合部より長手方向中央側でありかつ前記内側接合部と前記外側接合部とが離間した非接合部分に空間部が形成されているものである。
【発明の効果】
【００１２】
請求項１に記載された発明によれば、第２フラップ部が、裏面シートが折り返された折返部と、この折返部から延出するフラップシート部と、このフラップシート部に配設された第２フラップ弾性体とから構成されることにより、この第２フラップ部は、略平行な外側接合部および内側接合部にて前記フラップシート部を前記表面シートに接合するだけで前記吸収性物品本体の前記表面シート側に形成できるので、容易に製造できる。
【００１３】
また、股下部では、ポケット部にて液状排泄物以外の排泄物を保持できるので、液状排泄物以外の排泄物も漏出し難い。
【００１４】
請求項２に記載された発明によれば、外側接合部の幅方向の長さが、内側接合部の幅方向の長さより長いことにより、第２フラップ弾性体が第２フラップ部の起立可能な部分全体に作用し易くなるので、前記第２フラップ部が起立し易くなる。
【００１５】
請求項３に記載された発明によれば、表面シートより目が粗い拡散防止シートが第１フラップ部に配設されていることにより、ポケット部での排泄物の拡散を防止できるので、前記ポケット部にて排泄物をより確実に保持できる。
【００１６】
請求項４に記載された発明によれば、第１フラップ部には、吸収性物品本体の長手方向に沿って第１フラップ弾性体が配設されていることにより、前記第１フラップ部には幅方向にのびる皺が形成されるので、ポケット部での排泄物の長手方向への拡散を防止できる。
【００１７】
請求項５に記載された発明によれば、第２フラップ弾性体が内側第２フラップ弾性体および外側第２フラップ弾性体にて構成されることにより、前記内側第２フラップ弾性体の収縮により第２フラップ部が起立し易く、前記外側第２フラップ弾性体の収縮によりポケット部が形成され易いので、排泄物の漏出をより確実に防止できる。
【００１８】
請求項６に記載された発明によれば、表面シートとフラップシート部とが、内側接合部、外側接合部および中間接合部にて接合され、空間部が形成されていることにより、第２フラップ部12に沿って吸収性物品本体の長手方向に移動する排泄物が前記空間部に入り込み、長手方向への排泄物の漏出を防止できるとともに、排泄物の装着者への付着を防止できる。
【発明を実施するための最良の形態】
【００１９】
以下、本発明の第１の実施の形態の構成について図１ないし図６を参照しながら詳細に説明する。
【００２０】
図１に示す使い捨て吸収性物品１は、図示しない例えばおむつ等のパンツ形状にして装着するアウタ型吸収性物品の内面側に配設してインナとして使用される。
【００２１】
使い捨て吸収性物品１は、略矩形状の吸収性物品本体２を備えている。この吸収性物品本体２には、長手方向に沿って、前側部３、股下部４、後側部５が順次形成されている。また、吸収性物品本体２は、使い捨て吸収性物品１を装着した際に、内面側に位置する略矩形状の表面シート６と、外面側に位置する略矩形状の裏面シート７と、これら表面シート６と裏面シート７との間に設けられた吸収体８とから形成されている。表面シート６および裏面シート７は、表面シート６と裏面シート７との間に吸収体８を封着するように表面シート６が裏面シート７に接合されている。このように接合されることにより、吸収性物品本体２の長手方向の両端部には、長手方向フラップ部９が形成される。
【００２２】
表面シート６は、液透過性および通気性を有しかつ肌着に近い感触のもので、例えば織布、不織布、多孔性フィルム、合成繊維等のシート材にて形成される。このようなシート材にて形成されることにより、尿等の液状の排泄物を吸収体８へ透過できるとともに、装着者の身体に直接接触しても不快感を与え難いので好ましい。
【００２３】
裏面シート７は、吸収体８が吸収した液状排泄物の裏面シート７からの漏出を防止するために、例えばポリエチレン等の液不透過性または疎水性を有しかつ透湿性を有するシート材にてフィルム状に形成されている。
【００２４】
吸収体８は、矩形状から吸収性物品本体２の股下部４に対応する部分の幅方向の両側部が幅方向内側へ凹状に切り欠かれた略砂時計形状に形成されている。すなわち、前側部３および後側部５の幅方向の長さより股下部４の幅方向の長さの方が短く形成されている。また、吸収体８は、液状の排泄物等を充分に吸収できるように、例えばパルプを主とする材料にてシート状に形成され、一部に高分子吸収材等の物質を含むことより吸収性を向上できるので好ましい。
【００２５】
吸収性物品本体２の股下部４の幅方向の両側部であり、吸収体８が凹状に切り欠かれた部分に対応する箇所には、第１フラップ部11が設けられている。この第１フラップ部11は、装着した際に装着者の脚周りに密着する。
【００２６】
また、吸収性物品本体２の表面シート６側の幅方向の両側部には、吸収性物品本体２の長手方向に沿って第２フラップ部12が設けられている。この第２フラップ部12は、第２フラップ部12における吸収性物品本体２の幅方向内側に位置する自由縁13が表面シート６から離間する方向へ起立可能に形成され、装着した際には起立した状態となって少なくとも自由縁13が装着者の股下に接触する。
【００２７】
ここで、図１におけるＡ−Ａ断面図である図２に示すように、吸収性物品本体２の前側部３および後側部５において、裏面シート７の幅方向の長さは、吸収体８の幅方向の長さより長く、吸収体８の両側部から幅方向外側へ延出している。この延出した部分は、表面シート６側へ折り返され折返部14を形成している。なお、折返部14は吸収体８に沿って折り返されるので、使い捨て吸収性物品１が通常の状態であれば、吸収性物品本体２の前側部３および後側部５では、裏面シート７の幅方向の長さと吸収体８の幅方向の長さとが同等である。また、折返部14には、フラップシート部15が折返部14から吸収性物品本体２の幅方向内側へ延出するように張り合わされている。さらに、フラップシート部15には、長手方向に沿って３本の第２フラップ弾性体16が配設され、折返部14、フラップシート部15、第２フラップ弾性体16によって第２フラップ部12が形成されている。
【００２８】
また、フラップシート部15における吸収性物品本体２の幅方向内側に位置する側縁、すなわち、折返部14とは反対側の側縁は、第２フラップ部12の自由縁13となる。
【００２９】
なお、フラップシート部15は、装着者の股下に接触して排泄物の漏出を防止するものであり、液不透過性または疎水性のシート材にて形成されている。
【００３０】
第２フラップ弾性体16は、例えば紐状、リボン状、フィルム状等のゴムで伸長可能な部材であり、フラップシート部15における折返部14とは反対側を表面シート６側へ折り返し、このフラップシート部15の折り返し部分にて包まれるように配設されている。また、第２フラップ弾性体16は、フラップシート部15の長手方向に沿って伸長した状態で、例えば接着剤等で固着されて配設されている。さらに、第２フラップ弾性体16を配設する数は３本に限定されず、適宜設定できる。また、第２フラップ弾性体16は、フラップシート部15における折返部14とは反対側の自由縁13近傍に配設される構成が好ましい。
【００３１】
そして、使い捨て吸収性物品１を装着した状態では、第２フラップ弾性体16が収縮することにより、第２フラップ部12が起立状態となり、フラップシート部15が装着者の股下に接触する。
【００３２】
吸収性物品本体２の股下部４では、第２フラップ部12は、フラップシート部15が表面シート６に接合されてない。また、吸収性物品本体２の前側部３および後側部５では、第２フラップ部12は、フラップシート部15が内側接合部17および外側接合部18にて表面シート６に接合されている。
【００３３】
内側接合部17は、フラップシート部15の自由縁13側、すなわち、フラップシート部15における吸収性物品本体２の幅方向内側に位置し、フラップシート部15の長手方向に沿って形成されている。
【００３４】
外側接合部18は、フラップシート部15の内側接合部17より折返部14側、すなわち、フラップシート部15における内側接合部17より吸収性物品本体２の幅方向外側に位置し、内側接合部17に略平行に形成されている。
【００３５】
また、外側接合部18は、内側接合部17よりフラップシート部15の長手方向中央部側へ長く延在しており、長手方向の長さは、吸収性物品本体２の前側部３および後側部５と同等の長さである。
【００３６】
さらに、外側接合部18の幅方向の長さａは、内側接合部17の幅方向の長さｂより長く形成されている。また、外側接合部18の幅方向の長さａは、第２フラップ部12の幅方向の長さの１／２以上の長さが好ましい。なお、図１では、外側接合部18の幅方向の長さａは、第１フラップ部11の幅方向の長さが最大の部分の長さより短く形成されているが、第１フラップ部11の幅方向の長さが最大の部分の長さと同等の構成や第１フラップ部11の幅方向の長さが最大の部分の長さより長い構成でもよい。
【００３７】
外側接合部18における吸収性物品本体２の幅方向の外側縁は、図２に示すように折返部14の基端部、すなわち、表面シート６側に折り返された裏面シート７の折曲部分の近傍に位置している。
【００３８】
また、図２では、内側接合部17における吸収性物品本体２の幅方向の内側縁は、第２フラップ部12の内側縁部に位置しているが、このような構成には限定されず、内側接合部17の内側縁が第２フラップ部12の内側縁部より幅方向の外側に位置している構成としてもよい。さらに、フラップシート部15は、前側部３および後側部５の外側接合部18および内側接合部17が形成された例えば図２に示される部分等では、外側接合部18および内側接合部17によって幅方向の略全体が表面シート６に接合されていると好ましい。
【００３９】
内側接合部17および外側接合部18の接合方法は、例えば、ホットメルト接着、熱シールおよび超音波接着等、一般的に用いられる接合方法から適宜選択できる。
【００４０】
なお、第２フラップ弾性体16の長手方向の両端部は、内側接合部17の近傍まで配設される構成が好ましい。
【００４１】
図３は、図１におけるＢ−Ｂ断面図であるが、この部分では、フラップシート部15は、外側接合部18によってのみ表面シート６に接合されている。また、外側接合部18より幅方向の自由縁13側の表面シート６に接合されていない自由部19には、第２フラップ弾性体16が配設され、第２フラップ弾性体16の収縮により、外側接合部18の内側縁を基端として自由部19が起立する。
【００４２】
図４は、図１におけるＣ−Ｃ断面図であるが、この部分すなわち股下部４では、フラップシート部15が表面シート６に接合されていない。また、第１フラップ部11には、吸収体８が配設されていないので、第１フラップ部11は、吸収体８が配設された部分に比べて厚さが薄くなる。この厚さの薄い第１フラップ部11と第２フラップ部12と吸収体８が配設された部分の幅方向外側縁とによって挟まれるようにポケット部20が形成されている。なお、このポケット部20は、例えば固形便や粘性のある軟便等の吸収体８で吸収できない液状排泄物以外の排泄物を保持する部分である。なお、ポケット部20は、股下部４のみに形成されるもので、前側部３および後側部５には形成されていない。
【００４３】
次に上記第１の実施の形態の使い捨て吸収性物品の作用を説明する。
【００４４】
使い捨て吸収性物品１は、表面シート６と裏面シート７と吸収体８とから吸収性物品本体２が形成され、この吸収性物品本体２に第１フラップ部11、第２フラップ部12およびポケット部20を設けて構成される。
【００４５】
第１フラップ部11は、表面シート６と裏面シート７とによって吸収体８を封着することで、表面シート６および裏面シート７によって吸収体８の凹状に切り欠かれた部分に対応する箇所に形成される。
【００４６】
そして、第１フラップ部11は、表面シート６と裏面シート７とを接合するだけで形成でき、容易に形成できる。
【００４７】
第２フラップ部12は、裏面シート７が表面シート６側へ折り返された折返部14と、この折返部14から延出するフラップシート部15と、このフラップシート部15に配設された第２フラップ弾性体16とから構成される。また、第２フラップ部12は、前側部３および後側部５に形成される略平行な外側接合部18および内側接合部17にて、折返部14から延出したフラップシート部15を表面シート６に接合することにより形成される。
【００４８】
そして、第２フラップ部12は、外側接合部18および内側接合部17にてフラップシート部15を表面シート６に一般的な接合方法によって接合するだけで吸収性物品本体２の表面シート６側に形成できる。
【００４９】
ポケット部20は、第１フラップ部11と第２フラップ部12と吸収体８が配設された部分の幅方向外側縁とによって挟まれるように形成される。
【００５０】
そして、ポケット部20は、第１フラップ部11および第２フラップ部12を形成することにより形成される。
【００５１】
したがって、使い捨て吸収性物品１は、従来の使い捨て吸収性物品と比べて、例えば、特殊な作業工程、特殊な材料の使用および特殊な形状への形成等がないので容易に製造できる。
【００５２】
使い捨て吸収性物品１の装着の際には、まず、使い捨て吸収性物品１をアウタ型吸収性物品の内面側に配設する。そして、使い捨て吸収性物品１の前側部３が装着者の腹部に対応し、股下部４が装着者の股下に対応し、後側部５が装着者の背部に対応するように、使い捨て吸収性物品１が配設されたアウタ型吸収性物品を装着する。
【００５３】
このように使い捨て吸収性物品１を装着することにより、長手方向フラップ部９が装着者の腹周りおよび背回りに密着し、第１フラップ部11が装着者の脚周りに密着し、第２フラップ部12が第２フラップ弾性体16の収縮によって起立状態となって装着者の股下に接触する。
【００５４】
そして、起立状態の第２フラップ部12が装着者の股下に接触するので、第２フラップ部12によって、例えば尿等の液状排泄物の吸収性物品本体２の幅方向への漏出を防止できる。
【００５５】
また、使い捨て吸収性物品１は股下部４にポケット部20を有することにより、吸収性物品本体２内にて、例えば固形便や軟便等の吸収体８にて吸収できない液状排泄物以外の排泄物がポケット部20に入り込み、このポケット部20にて保持できる。したがって、液状排泄物以外の排泄物は、吸収性物品本体２内で移動し難く吸収性物品本体２から漏出し難い。
【００５６】
さらに、ポケット部20にて排泄物を保持することにより、使い捨て吸収性物品１の装着状態では、第２フラップ部12が排泄物に覆い被さった状態になるので、ポケット部20にて保持される排泄物が装着者に接触し難く、装着感が悪化し難い。
【００５７】
排泄物の漏出をより確実に防止するために第２フラップ部12の幅方向の長さを長く、すなわち、起立可能な面積を大きく設定した場合であっても、前側部３および後側部５において、自由部19は、外側接合部18の幅方向の内側縁を基端として起立し、外側接合部18の幅方向の長さａが内側接合部の幅方向の長さｂより長いことにより、自由部19の幅方向の長さが短くなるので、第２フラップ弾性体16の収縮力が、前側部３および後側部５の自由部19に作用し易く、第２フラップ部12の起立可能な部分全体に作し易くなる。したがって、前側部３および後側部５でも第２フラップ部12が起立し易くなり、それにともなって、股下部４においても第２フラップ部12が起立し易くなる。
【００５８】
また、外側接合部18の長手方向の長さを前側部３および後側部５の長さと同等にすることにより、排泄物が漏出し易い股下部４では、第２フラップ部12の起立可能な自由部19の幅方向の長さを最大限に確保でき、股下部４に比べて排泄物が漏出し難い前側部３および後側部５では、第２フラップ部12を表面シート６に確実に接合できる。
【００５９】
なお、第２フラップ部12は、折返部14に別個のシートであるフラップシート部15を張り合わせて形成する構成としたが、折返部14とフラップシート部15とが一体のシート材である構成でもよい。折返部14とフラップシート部15とが一体の構成とすることにより、接合部分がなくなるので、装着感を向上できる。
【００６０】
また、第２フラップ弾性体16が、フラップシート部15における折返部14とは反対側の自由縁13近傍に配設されることにより、第２フラップ部12の自由縁13が起立し易くなるので、第２フラップ部12全体が起立し易くなる。したがって、吸収性物品本体２からの排泄物の漏出をより確実に防止できる。
【００６１】
さらに、外側接合部18より幅方向の自由縁13側の自由部19には、第２フラップ弾性体16が配設され、第２フラップ弾性体16の長手方向の両端部が、内側接合部17の近傍まで配設されることにより、第２フラップ部12の起立可能な自由部19全体に第２フラップ弾性体16の収縮力が作用し易いので、第２フラップ弾性体16が起立し易くなる。したがって、吸収性物品本体２からの排泄物の漏出をより確実に防止できる。
【００６２】
また、第２フラップ弾性体16は、フラップシート部15の折り返された部分にて包まれるように配設されているので、第２フラップ弾性体16による装着感の悪化を防止できる。
【００６３】
使い捨て吸収性物品１は、図５に示すように、裏面シート７の外面側に液不透過性の不織布シート21を貼り合わせると、排泄物の漏出をより確実に防止できるのでより好ましい。そして、不織布シート21の幅方向の長さを裏面シート７の幅方向の長さより長くすると、裏面シート７の幅方向の長さを狭くして折返部14を折り返す長さを短くしても、不織布シート21によって液状排泄物の漏出を防止できるとともに、吸収性物品本体２の裏面側全体が不織布シート21にて覆われているので、肌触りも良好である。
【００６４】
なお、上記第１の実施の形態では、インナ用の使い捨て吸収性物品１としたが、この使い捨て吸収性物品１の構成はアウタ用吸収性物品にも適用できる。
【００６５】
吸収体８の形状は、略砂時計形状に限定されず、幅方向の両側部の股下部４に対応する部分が、幅方向の中央部へ向かって凹状に切り欠かれた形状であればよい。
【００６６】
第２フラップ弾性体16の配設される数は、３本に限定されず、配設数は適宜設定できる。第２フラップ弾性体16が複数本配設する場合は、その配設間隔も適宜設定でき、配設間隔は均等でなくてもよい。さらに、第２フラップ弾性体16のうち少なくとも一つが自由縁13の近傍に位置するように配設されることが好ましいが、第２フラップ弾性体16が配設される箇所は、折返部14の基端とフラップシート部15の自由縁13との間であればよい。また、第２フラップ弾性体16それぞれの長さは異なっていてもよく、この場合、自由縁13側の第２フラップ弾性体16の長さが長い構成が好ましい。
【００６７】
外側接合部18の長手方向の長さは、吸収性物品本体２の前側部３および後側部５と同等な構成には限定されず、外側接合部18は、前側部３および後側部５に形成され、内側接合部17より長手方向の長さが長ければよい。
【００６８】
また、外側接合部18の幅方向の長さａは、内側接合部17の幅方向の長さｂより長い構成とすることにより、第２フラップ部12が起立し易いので好ましいが、このような構成には限定されない。さらに、外側接合部18の幅方向の長さａは、第２フラップ部12の幅方向の長さの１／２以上の長さである構成には限定されず、外側接合部18の幅方向の長さａは適宜設定できる。
【００６９】
外側接合部18と内側接合部17とは、幅方向にやや離間する構成としたが、このような構成には限定されず、図６に示すように、外側接合部18と内側接合部17とが接し、フラップシート部15における内側接合部17が形成された部分では、幅方向の全体が表面シート６に接合される構成にしてもよい。このような構成にすることによって、表面シート６にフラップシート部15をより強力に接合できる。
【００７０】
次に、第２の実施の形態を図７および図８を参照して説明する。なお、上記の実施の形態と同一の構成および作用については、同一符号を付してその説明を省略する。
【００７１】
図７および図８に示すように、第１フラップ部11の幅方向の外側部には、長手方向に沿って第１フラップ弾性体23が配設されている。第１フラップ弾性体23は、例えば紐状、リボン状、フィルム状等のゴムで伸長可能な部材である。この第１フラップ弾性体23は、表面シート６と裏面シート７との間に挟まれるように、第１フラップ部11の幅方向へ３本並列して、伸張した状態で配設されている。
【００７２】
そして、第１フラップ弾性体23が収縮し、第１フラップ部11が長手方向に縮むことにより、第１フラップ部11には幅方向にのびるプリーツが形成される。したがって、ポケット部20に入り込んだ例えば軟便等の排泄物は、プリーツに引っ掛り長手方向に移動しにくくなるので、ポケット部20での排泄物の長手方向への拡散を防止でき、吸収性物品本体２からの排泄物の漏出をより確実に防止できる。
【００７３】
なお、第１フラップ弾性体23の数は、３本に限定されず適宜設定できる。また、第１フラップ部11の幅方向へわたって複数本配設されるか、または、平面形状のものを配設されることにより、第１フラップ部11の幅方向にプリーツが形成され易いので好ましい。
【００７４】
さらに、第１フラップ弾性体23の伸長応力が第２フラップ弾性体16の伸長応力より大きいと、第２フラップ部12の起立性が阻害されてしまうので、第１フラップ部11の伸長応力は、第２フラップ部12の伸長応力より小さくなるように設定されている。
【００７５】
また、第１フラップ弾性体23は、第１フラップ部11の幅方向の外側部に配設されることに限定されず、配設場所は適宜設定できるが、幅方向の外側部に配設することにより第１フラップ部11が幅方向に広くなるので好ましい。
【００７６】
さらに、第１フラップ弾性体23としては、第２フラップ弾性体16と同じ弾性体を使用することにより、効率的に製造のための材料を容易できるので好ましいが、異なる部材を使用してもよい。
【００７７】
次に、第３の実施の形態を図９を参照して説明する。なお、上記の実施の形態と同一の構成および作用については、同一符号を付してその説明を省略する。
【００７８】
図９に示すように、第１フラップ部11には、表面シート６側の表面に拡散防止シート24が配設されている。
【００７９】
拡散防止シート24は、表面シート６より目が粗く、表面シート６より嵩が高いシート材にて形成されている。
【００８０】
また、拡散防止シート24は、第１フラップ部11の表面の一部に配設されており、第２フラップ部12にて覆われている。
【００８１】
そして、表面シート６より目が粗い拡散防止シート24が第１フラップ部11に配設されていることにより、液状排泄物以外の排泄物である固形便や軟便等に含まれる流動物が拡散防止シート24の目に入り込み易く、拡散防止シート24の目に入り込むことによりポケット部20での液状排泄物以外の排泄物の拡散を防止できる。したがって、ポケット部20にて液状排泄物以外の排泄物をより確実に保持できるので、吸収性物品本体２からの漏出を防止できる。
【００８２】
また、拡散防止シート24を表面シート６より嵩の高いシート材にて形成することにより、拡散防止シート24の目により多くの排泄物が入り込むので、拡散をより確実に防止できる。
【００８３】
なお、拡散防止シート24は、表面シート６より目が粗いシート材であれば、素材は適宜選択でき、疎水性または親水性のどちらでもよく、織布または不織布のどちらでもよい。
【００８４】
また、拡散防止シート24は、第２フラップ部12に覆われていることにより、装着状態で装着者の肌に接触しないので、拡散防止シート24により装着感は悪化し難く、例えば嵩を高くするため、表面シート６より剛性のある素材を使用してもよい。
【００８５】
さらに、この実施の形態では、表面シート６と裏面シート７との間に第１フラップ弾性体23を配設しているが、第１フラップ弾性体23を配設しない構成としてもよく、また、第１フラップ弾性体23を配設する場合は、表面シート６と拡散防止シート24との間に第１フラップ弾性体23を配設してもよい。
【００８６】
次に、第４の実施の形態を図１０および図１１を参照して説明する。なお、上記の実施の形態と同一の構成および作用については、同一符号を付してその説明を省略する。
【００８７】
図１０および図１１に示すように、第２フラップ弾性体16は、内側第２フラップ弾性体25および外側第２フラップ弾性体26によって構成されている。
【００８８】
内側第２フラップ弾性体25は、前側部３の内側接合部17と後側部５の内側接合部17との間に配設され、長手方向の両端部は、前側部３の内側接合部17および後側部５の内側接合部17の長手方向の内側端部の近傍にそれぞれ位置し、前側部３から後側部５へわたって配設されている。
【００８９】
外側第２フラップ弾性体26は、前側部３の外側接合部18と後側部５の外側接合部18との間に配設され、長手方向の両端部は、前側部３の外側接合部18および後側部５の外側接合部の長手方向の内側端部の近傍にそれぞれ位置し、股下部４の略全体に配設されている。
【００９０】
このように、第２フラップ弾性体16が内側第２フラップ弾性体25および外側第２フラップ弾性体26にて構成されることにより、第２フラップ弾性体16の収縮が第２フラップ部12およびポケット部20に作用し易い。すなわち、内側第２フラップ弾性体25の収縮により第２フラップ弾性体16が起立し易く、外側第２フラップ弾性体26の収縮によりポケット部20が形成され易い。したがって、第２フラップ部12およびポケット部20によって吸収性物品本体２からの排泄物の漏出をより確実に防止できる。
【００９１】
ここで、内側第２フラップ弾性体25および外側第２フラップ弾性体26は、フラップシート部15の折り返された部分にて挟まれるように配設されている。このように配設されることにより、内側第２フラップ弾性体25および外側第２フラップ弾性体26を配設し易く製造し易いので好ましいが、このような構成には限定されず、例えば、表面シート６とフラップシート部15との間や裏面シート７とフラップシート部15との間や不織布シート21を配設する場合はフラップシート部15と不織布シート21との間等に配設することも可能である。
【００９２】
また、内側第２フラップ弾性体25の伸長応力は、外側第２フラップ弾性体26の伸長応力より大きく設定されている。このように各伸長応力を設定することにより、第２フラップ部12の起立性が外側第２フラップ弾性体26の収縮により阻害され難く好ましい。
【００９３】
なお、内側第２フラップ部25および外側第２フラップ部26としては、同じ弾性体を使用する構成には限定されず、異なる弾性体を使用してもよい。
【００９４】
次に、第５の実施の形態を図１２を参照して説明する。なお、上記の実施の形態と同一の構成および作用については、同一符号を付してその説明を省略する。
【００９５】
図１２に示すように、前側部３および後側部５では、内側接合部17と外側接合部18とが互いにフラップシート部15の幅方向に離間して配設されている。また、これら内側接合部17と外側接合部18との離間部分の一部であり、かつ、フラップシート部15の長手方向の両端部には中間接合部27が形成されている。
【００９６】
中間接合部27は、例えば、ホットメルト接着、熱シールおよび超音波接着等、一般的に用いられる接合方法から適宜選択できる。
【００９７】
フラップシート部15は、内側接合部17、外側接合部18および中間接合部27にて表面シート６に接合され、フラップシート部15の長手方向の両端では、内側接合部17、外側接合部18および中間接合部27にて略コ字状に接合されている。
【００９８】
そして、第２フラップ部12には、中間接合部27より長手方向中央側であり、かつ、内側接合部17と外側接合部18とが離間した表面シート６とフラップシート部15との非接合部分に空間部28が形成されている。
【００９９】
このように、表面シート６とフラップシート部15とが、内側接合部17、外側接合部18および中間接合部27によって接合され、第２フラップ部12に空間部28が形成されることにより、吸収性物品本体２内では、第２フラップ部12に沿って吸収性物品本体２の長手方向に移動する軟便や液状排泄物等の排泄物が空間部28に入り込み、中間接合部27により長手方向への移動を停止される。したがって、吸収性物品本体２の長手方向への排泄物の漏出を防止できる。また、空間部28に入り込んだ排泄物は、内側接合部17および外側接合部18により幅方向への移動も停止されるので、排泄物の装着者への付着を防止できる。
【０１００】
ここで、空間部28の大きさは適宜設定できるが、空間部28は排泄物が入り込むため、ある程度の大きさに形成することが好ましい。すなわち、空間部28に排泄物が入り込めるような幅方向の長さを想定して内側接合部17と外側接合部18とを離間させ、中間接合部27の幅方向の長さを確保し、空間部28を形成する必要がある。したがって、上記第１の実施の形態では、外側接合部18の幅方向の長さａが第２フラップ部12の幅方向の長さの１／２以上の長さとすることが好ましいとしたが、本実施の形態の構成のように空間部28を形成する場合は、外側接合部18の幅方向の長さａが第２フラップ部12の幅方向の長さの１／２以下の長さであってもよい。
【０１０１】
なお、中間接合部27および空間部28は、前側部３および後側部５に形成する構成としたが、このような構成には限定されず、前側部３または後側部５の一方にのみ形成する構成としてもよい。
【図面の簡単な説明】
【０１０２】
【図１】本発明の第１の実施の形態に係る使い捨て吸収性物品の構成を示す平面図である。
【図２】同上使い捨て吸収性物品の構成を示すもので、図１のＡ−Ａ断面図である。
【図３】同上使い捨て吸収性物品の構成を示すもので、図１のＢ−Ｂ断面図である。
【図４】同上使い捨て吸収性物品の構成を示すもので、図１のＣ−Ｃ断面図である。
【図５】同上使い捨て吸収性物品の構成の変形例を示す断面図である。
【図６】同上使い捨て吸収性物品の構成の変形例を示す平面図である。
【図７】本発明の第２の実施の形態に係る使い捨て吸収性物品の構成を示す平面図である。
【図８】同上使い捨て吸収性物品の構成を示すもので、図７のＤ−Ｄ断面図である。
【図９】本発明の第３の実施の形態に係る使い捨て吸収性物品の構成を示す断面図である。
【図１０】本発明の第４の実施の形態に係る使い捨て吸収性物品の構成を示す平面図である。
【図１１】同上使い捨て吸収性物品の構成を示すもので、図１０のＥ−Ｅ断面図である。
【図１２】本発明の第５の実施の形態に係る使い捨て吸収性物品の構成を示す平面図である。
【符号の説明】
【０１０３】
１    使い捨て吸収性物品
２    吸収性物品本体
３    前側部
４    股下部
５    後側部
６    表面シート
７    裏面シート
８    吸収体
11    第１フラップ部
12    第２フラップ部
13    自由縁
14    折返部
15    フラップシート部
16    第２フラップ弾性体
17    内側接合部
18    外側接合部
20    ポケット部
23    第１フラップ弾性体
24    拡散防止シート
25    内側第２フラップ弾性体
26    外側第２フラップ弾性体
【図１】
2010088538.tif 000003
【図２】
2010088538.tif 000004
【図３】
2010088538.tif 000005
【図４】
2010088538.tif 000006
【図５】
2010088538.tif 000007
【図６】
2010088538.tif 000008
【図７】
2010088538.tif 000009
【図８】
2010088538.tif 000010
【図９】
2010088538.tif 000011
【図１０】
2010088538.tif 000012
【図１１】
2010088538.tif 000013
【図１２】
2010088538.tif 000014